(57)【要約】【課題】  吊荷２５が宙吊り状態でウインチドラム１３の回転を停止させた時に、ウインチドラム１３から繰出された以降の部分で合成繊維ロープ１４を把持し、ウインチドラム１３部分の合成繊維ロープ１４での伸び、食込み及び潰れの影響を受けないようにすることで吊荷２５の降下を大幅に減少する。【解決手段】  合成繊維ロープ１４を使用するクレーン２のウインチシステムであって、前記合成繊維ロープ１４を巻き取り・巻き戻しするウインチ手段と、前記ウインチ手段のウインチドラム１３から繰り出された以降の部分で合成繊維ロープ１４を把持する把持手段１７と、を備える。【選択図】        図１
2019167167.tif 000002
【特許請求の範囲】
【請求項１】
合成繊維ロープを使用するクレーンのウインチシステムであって、
前記合成繊維ロープを巻き取り・巻き戻しするウインチ手段と、
前記ウインチ手段から繰り出された以降の部分で合成繊維ロープを把持する把持手段と、
を備えたことを特徴とするクレーンのウインチシステム。
【請求項２】
前記クレーンは、伸縮ブームを備えた移動式クレーンであって、
前記把持手段が、前記伸縮ブームに配置されることを特徴とする、
請求項１に記載されたクレーンのウインチシステム。
【請求項３】
前記ウインチ手段のウインチドラムが回転停止したとき、前記把持手段により前記合成繊維ロープを把持するよう、前記ウインチ手段と前記把持手段とを関連付けたことを特徴とする、
請求項１又は２に記載されたクレーンのウインチシステム。
【請求項４】
前記把持手段は、把持装置と、油圧供給装置と、を備え、
前記把持装置は、前記合成繊維ロープが貫通する円筒形弾性部と、前記円筒形弾性部の外周を密閉して取り囲む圧力容器部と、から構成され、
前記円筒形弾性部はゴム又は樹脂により構成されており、前記圧力容器部に前記油圧供給装置から油圧が供給されると、前記円筒形弾性部の内径が縮小変形し前記合成繊維ロープの外周が圧迫されることで前記合成繊維ロープが把持されることを特徴とする、
請求項１〜３に記載されたクレーンのウインチシステム。
【発明の詳細な説明】
【技術分野】
【０００１】
本発明は、合成繊維ロープ使用により発生する、「時間経過に伴う吊荷の降下」を低減するためのロープ把持装置を備えたウインチシステムに関する。
【背景技術】
【０００２】
ワイヤロープと同等の強度を有しながらも単位長さ当たりの重量が小さいことから、クレーンのウインチシステムの吊荷用ロープとして合成繊維ロープの使用が検討されるようになってきた。
【０００３】
ところが、吊荷が宙吊りの状態でウインチドラムの回転を停止させたような、張力がかかったまま状態では、合成繊維ロープは伸びやウインチドラムでの食込み、潰れなどが発生する。そして、その為に時間の経過とともに吊荷が降下する現象が現れる。図５は、出願人が計測した「経過時間―吊荷の降下量」グラフである。
【０００４】
図５から分かるように、宙吊りにされた吊荷は初期に急速に降下したあと時間当たりの降下量が徐々に減少しつつも時間の経過とともに降下が継続し、数分間で数十ｍｍ降下する。なお、図５に示したグラフは、合成繊維ロープの特性の一例を示すものであって、合成繊維ロープの材質、編み方、長さ、直径、張力、温度、湿度、ウインチドラムでの巻層数、等により特性は大きく変化する。
【０００５】
出願人による実験によれば、ウインチドラム部分以外での合成繊維ロープの伸び自体は時間要素が少ないことが確認されている。それは、ウインチドラム部分以外では、吊荷による張力が合成繊維ロープに一瞬のうちに発生し、伸びも同時に発生するためと考えられる。
【０００６】
一方、ウインチドラム部分での合成繊維ロープの伸び、食込み及び潰れは時間要素が大きく、安定するまでに時間が掛かることが確認されている。すなわち、ウインチドラムに巻き取られた部分の合成繊維ロープは張力も小さく相互に摩擦力も作用するため、ウインチドラム部分での伸び、食込み及び潰れが時間の経過とともに徐々に進行するためと考えられる。
【０００７】
ところで、かご及び釣合重りを吊り下げる主索に合成繊維ロープを用いたエレベータにおいて、駆動シーブとそらせ車との間に移動可能な調整シーブを備えた主索の伸び補償装置が提案されている（特許文献１）。
【先行技術文献】
【特許文献】
【０００８】
【特許文献１】ＷＯ２００２―３８４８１号公報
【発明の概要】
【発明が解決しようとする課題】
【０００９】
しかし、クレーンのウインチは、釣合重りが存在しないなどエレベータとは構成が全く異なるため、特許文献１に記載された伸び補償装置を適用することは困難である。
【００１０】
そこで、本発明は、吊荷を宙吊り状態でウインチドラムの回転を停止させた時に、ウインチドラムから繰出された以降の部分で合成繊維ロープを把持し、ウインチドラム部分の合成繊維ロープの伸び、食込み及び潰れの影響を受けないようにすることで吊荷の降下を大幅に減少できるウインチシステムを提案する。
【課題を解決するための手段】
【００１１】
第１の発明のウインチシステムは、合成繊維ロープを使用するクレーンのウインチシステムであって、前記合成繊維ロープを巻き取り・巻き戻しするウインチ手段と、前記ウインチ手段から繰り出された以降の部分で合成繊維ロープを把持する把持手段と、を備えたことを特徴とする。
【００１２】
第１の発明のウインチシステムは、吊荷が宙吊り状態でウインチドラムの回転を停止させた時に、ウインチドラムから繰出された以降の部分で合成繊維ロープを把持手段により把持し、ウインチドラム部分の合成繊維ロープの伸び、食込み及び潰れの影響を受けないようにすることで吊荷の降下を大幅に減少できる。
【００１３】
第２の発明のウインチシステムは、前記クレーンは、伸縮ブームを備えた移動式クレーンであって、前記把持手段が、前記伸縮ブームに配置されることを特徴とする。
【００１４】
第２の発明のウインチシステムは、移動式クレーンのウインチシステムに合成繊維ロープを使用した場合にも、把持手段を伸縮ブームに配置することにより吊荷を宙吊り状態でウインチドラムの回転を停止させた時の吊荷の降下を大幅に減少できる。
【００１５】
第３の発明のウインチシステムは、前記ウインチ手段のウインチドラムが回転停止したとき、前記把持手段により前記合成繊維ロープを把持するよう、前記ウインチ手段と前記把持手段とを関連付けたことを特徴とする。
【００１６】
第３の発明のウインチシステムは、ウインチ手段のウインチドラムが回転停止すると自動的に把持手段が合成繊維ロープを把持するので、オペレータがいちいち把持手段を操作する手間が省ける。
【００１７】
第４の発明のウインチシステムは、前記把持手段は、把持装置と、油圧供給装置と、を備え、前記把持装置は、前記合成繊維ロープが貫通する円筒形弾性部と、前記円筒形弾性部の外周を密閉して取り囲む圧力容器部と、から構成され、前記円筒形弾性部はゴム又は樹脂により構成されており、前記圧力容器部に前記油圧供給装置から油圧が供給されると、前記円筒形弾性部の内径が縮小変形し前記合成繊維ロープの外周が圧迫されることで前記合成繊維ロープが把持されることを特徴とする。
【００１８】
第４の発明のウインチシステムは、把持装置内部に位置する合成繊維ロープの全長に渡って、円筒形弾性部が合成繊維ロープを均一に圧迫して把持するので、合成繊維ロープを傷めることなく確実に把持することができる。
【発明の効果】
【００１９】
本発明のウインチシステムは、吊荷が宙吊り状態でウインチドラムの回転を停止させた時に、ウインチドラムから繰出された以降の部分の合成繊維ロープを把持し、ウインチドラム部分の合成繊維ロープでの伸び、食込み及び潰れの影響を受けないようにすることで吊荷の降下を大幅に減少できる。
【図面の簡単な説明】
【００２０】
【図１】本発明の実施の形態に係るウインチシステムを搭載したラフテレーンクレーンである。
【図２】実施の形態に係るウインチシステムのブロック図である。
【図３】実施の形態に係る把持手段の全体構成図である。
【図４】図３の把持装置の断面詳細図である。
【図５】出願人が計測した「経過時間―吊荷の降下量」グラフである。
【発明を実施するための形態】
【００２１】
図１は、本発明の実施の形態に係るウインチシステムを搭載したラフテレーンクレーン２である。ラフテレーンクレーン２は、アウトリガのジャッキ３を接地したアウトリガ張り出し姿勢となっている。下部走行体４に対し旋回自在となるよう搭載された旋回フレーム５には運転室６が配置されている。運転室６内部には、ウインチ操作レバー７が配置されている。
【００２２】
旋回フレーム５に対して伸縮ブーム１０が起伏自在となるよう、ピン１１により連結されている。旋回フレーム５と伸縮ブーム１０の間には、起伏シリンダ１２が介装されている。旋回フレーム５に搭載されたウインチ手段のウインチドラム１３から繰り出された合成繊維ロープ１４は、伸縮ブーム１０の背面８に沿ってブームヘッド１５に送られている。
【００２３】
さらに、ブームヘッド１５から吊り下げられた合成繊維ロープ１４は、フックブロック２０のシーブ２１及びブームヘッド１５のシーブ２２に掛け回される。合成繊維ロープ１４の端部は、フックブロック２０又はブームヘッド１５に係止される。フックブロック２０のフック２３には玉掛けワイヤ２４が掛けられる。玉掛けワイヤ２４によって吊荷２５が吊り下げられている。
【００２４】
ベースブーム１６の先端付近背面８には、合成繊維ロープ１４を把持する把持手段１７が配置されている。合成繊維ロープ１４は、把持手段１７の内部を貫通している。把持手段１７には、旋回フレーム５よりベースブーム１６に沿って油圧配管（図示しない）されている。
【００２５】
図２は実施の形態に係るウインチシステム３０のブロック図である。ウインチドラム１３の回転方向及び回転速度の操作信号が、ウインチ操作レバー７からコントローラ３１に出力される。コントローラ３１は、操作信号に対応する駆動信号をウインチ手段３２に対し出力する。また、コントローラ３１は、把持手段１７に対しても駆動信号を出力する。
【００２６】
ウインチ手段３２では、合成繊維ロープ１４が巻き取られるウインチドラム１３が、減速機３４を介して油圧モーター３５によって駆動される。油圧ポンプ３６から吐出された圧油が、パイロット式切換弁３７によって方向と流量を制御され油圧モーター３５へ供給される。パイロット式切換弁３７と油圧モーター３５との間の油路にはカウンタバランス弁３８が介装されている。
【００２７】
巻上げ側電磁比例弁４０は、コントローラ３１からの駆動信号に応じた巻上げ側パイロット圧を生成し、パイロット式切換弁３７に供給する。巻下げ側電磁比例弁４１は、コントローラ３１からの駆動信号に応じた巻下げ側パイロット圧を生成し、パイロット式切換弁３７に供給する。上述した構成によって、図２に示すウインチシステム３０ではウインチ操作レバー７の操作方向と操作量に応じてウインチドラム１３が駆動される。
【００２８】
図２に示したウインチシステム３０では、ウインチ操作レバー７が中立位置に戻されると、コントローラ３１から把持手段１７に駆動信号が出力される。すなわち、ウインチ手段３２のウインチドラム１３が回転停止したとき把持手段１７により合成繊維ロープ１４を把持するよう、ウインチ手段３２と把持手段１７とが関連付けられている。
【００２９】
図３は、実施の形態に係る把持手段１７の全体構成図である。把持手段１７は、把持装置５０と油圧供給装置５１とを備えている。把持装置５０の右半分は断面図で表している。把持装置５０は、合成繊維ロープ１４が貫通する円筒形弾性部５２と、円筒形弾性部の外周を密閉して取り囲む圧力容器部５３とから構成されている。
【００３０】
図４は、図３の把持装置５０のＡ−Ａ矢視断面詳細図である。図４に示した円筒形弾性部５２は、ゴム又は樹脂により構成されており、圧力容器部５３に油圧が供給されると、外周に加わる圧力Ｐにより円筒形弾性部５２全体が弾性変形しその内径が縮小し、内部の合成繊維ロープ１４の外周が圧迫されることで相互に摩擦力が発生し、合成繊維ロープ１４が把持される。
【００３１】
図３に示した油圧供給装置５１は、油圧ポンプ５４が油圧タンク５５から作動油を吸い込み加圧して吐出する。油圧ポンプ５４から吐出された圧油は、リリーフ弁５５で調圧され、アキュムレータ５６で蓄圧される。電磁切換弁５７はコントローラ３１の駆動信号により切り換えられる。電磁切換弁５７が連通側に切り換わると、油路５８を経由して圧油が把持装置５０の圧力容器部５３に送られる。
【００３２】
以上、その構成を説明した実施の形態に係るウインチシステム３０の機能について図１〜図４に基づき説明する。
【００３３】
ウインチ操作レバー７が巻上げ側あるいは巻下げ側に操作され、ウインチドラム１３が回転している間は、コントローラ３１は把持手段１７に駆動信号を出力せず、把持手段１７は合成繊維ロープ１４を把持しない。すなわち、把持装置５０（図３参照）内部を合成繊維ロープ１４は自由に移動している。このとき、図４に示すように、円筒形弾性部５２は自身の持つ弾性により円周方向に拡張しており、その内径も合成繊維ロープ１４の外径よりも大きくなっている。そのため、合成繊維ロープ１４は、円筒形弾性部５２の長手方向に対し自由に移動が可能となっている。
【００３４】
ウインチ操作レバー７が巻上げ側あるいは巻下げ側から中立位置に操作され、ウインチドラム１３が停止すると、コントローラ３１は把持手段１７に駆動信号を出力し、把持手段１７は合成繊維ロープ１４を把持する。すなわち、図３に示した電磁切換弁５７が切り換えられ圧油が把持装置５０の圧力容器部５３に送られる。すると、円筒形弾性部５２（図４参照）の内径が縮小変形し合成繊維ロープ１４の外周が圧迫され合成繊維ロープ１４が把持される。
【００３５】
これにより、図１に示すベースブーム１６の背面８に配置された把持装置１７が合成繊維ロープ１４を把持しているので、ウインチドラム１３部分の合成繊維ロープ１４の伸び、食込み及び潰れの影響を受けない。そのため、宙吊り状態の吊荷２５の降下が大幅に減少する。
【００３６】
次に、ウインチ操作レバー７を巻上げ側あるいは巻下げ側に操作すると、図２に示したコントローラ３１からウインチ手段３２に駆動信号が出力されウインチドラム１３が回転起動すると同時に、図３に示した油圧供給装置５１の電磁切換弁５７が図示の状態（図２参照）に戻り圧力容器部５３内部の圧油が油路５８を経由して作動油タンク５５に戻される。すると、把持装置５０は合成繊維ロープ１４を把持しなくなるので、合成繊維ロープ１４は把持装置５０内部を自由に移動できるようになる。
【００３７】
上述した実施の形態では、ウインチ手段３２と把持手段１７とを関連付け、ウインチ操作レバー７を中立位置に戻すと自動的に合成繊維ロープを把持する例を説明したが、オペレータが必要な時に把持手段１７を手動操作するようにしても良い。図５の「経過時間―吊荷の降下量」グラフに示すように、合成繊維ロープで吊り下げた吊荷は比較的ゆっくりと降下するので操作は容易である。あるいは、ウインチ手段３２と把持手段１７とを関連付ける選択スイッチを設け、関連付けの有無を必要により選択するようにしてもよい。
【符号の説明】
【００３８】
２： ラフテレーンクレーン
１０：伸縮ブーム
１３：ウインチドラム
１４：合成繊維ロープ
１７：把持手段
３０：ウインチシステム
５０：把持装置
５１：油圧供給装置
５２：円筒形弾性部
５３：圧力容器部
【図１】
2019167167.tif 000003
【図２】
2019167167.tif 000004
【図３】
2019167167.tif 000005
【図４】
2019167167.tif 000006
【図５】
2019167167.tif 000007